(57)【要約】      （修正有）【課題】構造が簡単で、使用者の必要に応じて任意に組合せ可能な発熱可能な組合せカーペットを提供する。【解決手段】発熱可能な組合せカーペットは、複数の多辺形基板1と複数のコネクター2からなり、各多辺形基板1は、多辺形基板1の各周辺上に設置する電源連接部12、発熱装置、電源連接線路を備える。また、電源連接線路はそれぞれ電源連接部12、発熱装置と連接し、これにより外部電源と連接し、電源連接部12と発熱装置は共に、電源連接線路を通して電気的連接を形成する。こうして発熱装置は発熱状態を生じ、しかもコネクター2を通して、多辺形基板1の１個の周辺上の電源連接部12と連結後、複数の多辺形基板1は各コネクター2により電気的に連接し、大きな面積の一枚の発熱可能な組合せカーペットを形成する。【選択図】図４
0003167140.tif 000002
【実用新案登録請求の範囲】
【請求項１】
発熱可能な組合せカーペットは、上表面に取外し可能な織物層を設置する複数の多辺形基板、複数のコネクターからなり、
該複数の多辺形基板の各多辺形基板の上表面の下方には、電源連接部、発熱装置、電源連接線路を備え、
該電源連接部は、該多辺形基板の各周辺上に設置し、
該発熱装置は、該多辺形基板上に結合し、
該電源連接線路は、該多辺形基板上に設置し、該電源連接線路は、それぞれ該電源連接部、該発熱装置と連接し、これにより外部電源と連接し、該電源連接部と該発熱装置は共に、該電源連接線路を通して、電気的連接を形成し、これにより該発熱装置は、発熱状態を生じ、
該複数のコネクターの内の各コネクター両端には、それぞれ導電部を設置し、しかも該両端の導電部は、相互に導通し、こうして該各コネクター両端の導電部が、該多辺形基板の１個の周辺上の電源連接部と連結後、該複数の多辺形基板は、該各コネクターにより電気的に連接し、大きな面積の一枚の発熱可能な組合せカーペットを形成することを特徴とする発熱可能な組合せカーペット。
【請求項２】
前記多辺形基板は、四辺形基板であることを特徴とする請求項１に記載の発熱可能な組合せカーペット。
【請求項３】
前記発熱装置上は、導熱層で覆い、これにより熱エネルギーを十分に該多辺形基板の上表面上に均一に拡散することを特徴とする請求項１に記載の発熱可能な組合せカーペット。
【請求項４】
前記導熱層の表面積は、該発熱装置の表面積より大きいことを特徴とする請求項３に記載の発熱可能な組合せカーペット。
【請求項５】
前記導熱層は、アルミ箔であることを特徴とする請求項３或いは４に記載の発熱可能な組合せカーペット。
【請求項６】
前記発熱装置は、電熱器であることを特徴とする請求項１に記載の発熱可能な組合せカーペット。
【考案の詳細な説明】
【技術分野】
【０００１】
本考案は発熱可能な組合せカーペットに関し、特に構造が簡単で、使用者の必要に応じて任意に組合せ可能な発熱可能な組合せカーペットで、ベッド上で使用する電気毛布、ソファー上で使用する各種形状の電熱クッションに応用可能な発熱可能な組合せカーペットに関する。
【背景技術】
【０００２】
寒くなると、或いは気候が寒冷な地域では、家庭内の床板表面は、気候の影響で温度が下がり、人が床板上を歩行する、或いは床板上に留まる時、冷たい床板は、足の裏を通して体温を奪い、人は体温が下がり寒く感じる。
【０００３】
そのため、寒い季節は、足部を温暖な状態に保つための製品が多く市販されている。
例えば、靴、毛糸の靴下等を通して、足の裏を一定温度に保ち保温する他、体温が奪われないようにすることで、寒さを感じないようにする製品もある。
【０００４】
足に靴或いは靴下を履き、保温の目的を達成する他、気候が寒冷な地域では、ヒーター、空調、或いは床板内に埋設する熱水循環システムにより、空間を暖めている。
床板内の熱水循環システムは、床板への触感が冷たくなり過ぎることを回避し、環境快適性を高め、靴、靴下等を着脱する面倒を避けることができる。
【０００５】
しかし、床板発熱システムを通して、屋内暖房の目的達成する方式は、メンテナンスが容易でなく、しかも床の一部だけを暖かくしたいと考える使用者にとって、屋内すべての床板を暖かくするのでは、電力消費が高くなり過ぎ、また環境にも負荷を掛けてしまう。
本考案は、従来の暖房システムの上記した欠点に鑑みてなされたものである。
【先行技術文献】
【特許文献】
【０００６】
【特許文献１】特開平１０−２７６８９２号公報
【考案の概要】
【考案が解決しようとする課題】
【０００７】
本考案が解決しようとする課題は、構造が簡単で、使用者の必要に応じて任意に組合せ可能な発熱可能な組合せカーペットを提供することである。
【課題を解決するための手段】
【０００８】
上記課題を解決するため、本考案は下記の発熱可能な組合せカーペットを提供する。
発熱可能な組合せカーペットは、複数の多辺形基板と複数のコネクターからなり、
該複数の多辺形基板の上表面には、取外し可能な織物層を設置し、該各多辺形基板は、上表面の下方に、電源連接部、発熱装置、電源連接線路を備え、
該電源連接部は、該多辺形基板の各周辺上に設置し、
該発熱装置は、該多辺形基板上に結合し、該電源連接線路は、該多辺形基板上に設置し、
該電源連接線路は、それぞれ該電源連接部、該発熱装置と連接し、これにより、外部電源と連接し、該電源連接部と該発熱装置は共に、該電源連接線路を通して、電気的連接を形成し、こうして発熱装置は発熱状態を生じ、
該各コネクター両端には、それぞれ導電部を設置し、しかも該両端の導電部は、相互に導通し、こうして該各コネクター両端の導電部が、該多辺形基板の１個の周辺上の電源連接部と連結後、該複数の多辺形基板は、該各コネクターにより電気的に連接し、大きな面積の一枚の発熱可能な組合せカーペットを形成し、
実施時には、該多辺形基板は、四辺形基板で、 
実施時には、該発熱装置上は、導熱層で覆い、これにより熱エネルギーを十分に該多辺形基板の上表面上に均一に拡散でき、しかも該導熱層の表面積は、該発熱装置の表面積より大きく、 
実施時には、該導熱層は、アルミ箔で、該発熱装置は、電熱器である。
【考案の効果】
【０００９】
本考案の発熱可能な組合せカーペットは、構造が簡単で、使用者の必要に応じて任意に組合せることができ、ベッド上で使用する電気毛布、ソファー上で使用する各種形状の電熱クッションとして応用することができる。
【図面の簡単な説明】
【００１０】
【図１】本考案実施例発熱可能な組合せカーペットの立体外観分解図である。
【図２】本考案実施例のコネクターと多辺形基板とを組立てる前の状態の模式図である。
【図３】本考案実施例多辺形基板の断面模式図である。
【図４】本考案実施例発熱可能な組合せカーペットを組立てる時の状態模式図である。
【図５】本考案実施例の発熱可能な組合せカーペットをＬ字型に組合せた状態の模式図である。
【図６】本考案実施例をソファー上に敷き、電熱クッション機能を形成する状態の模式図である。
【考案を実施するための形態】
【００１１】
以下に図面を参照しながら本考案を実施するための最良の形態について詳細に説明する。
【実施例】
【００１２】
本考案発熱可能な組合せカーペットの一実施例である図１〜４に示すように、発熱可能な組合せカーペットは、それぞれが四辺形基板である複数の多辺形基板1と複数のコネクター2からなる。
【００１３】
該複数の多辺形基板1の上表面には、取外し可能な織物層11を設置する。該各多辺形基板1は、上表面の下方に、電源連接部12、発熱装置13、電源連接線路14を備える。
【００１４】
該電源連接部12は、該多辺形基板1の各周辺上に設置し、該発熱装置13は、電熱器で、該多辺形基板1上に結合する。
【００１５】
該発熱装置13上は、導熱層15で覆い、該導熱層15は、アルミ箔で、しかも該導熱層15の表面積は、該発熱装置13の表面積より大きく、熱エネルギーを、該多辺形基板1の上表面上に十分に均一に拡散することができる。
【００１６】
該電源連接線路14は、該多辺形基板1上に設置し、該電源連接線路14は、それぞれ該電源連接部12、該発熱装置13と連接する。これにより、外部電源と連接し、該電源連接部12と該発熱装置13は共に、該電源連接線路14を通して、電気的連接を形成し、こうして該発熱装置13は、発熱状態を生じる。
【００１７】
該複数のコネクター2の各コネクター2両端には、それぞれ導電部21、22を設置し、しかも該両端の導電部21、22は、相互に導通する。
【００１８】
実施時には、図に示すように、使用者の必要に応じて、一枚の広い面積の発熱可能な組合せカーペットに組立てることができる。
【００１９】
使用者は予め、該コネクター2両端の導電部21、22を通して、該多辺形基板1の内の１個の周辺上の電源連接部12とそれぞれ連結する。
該各多辺形基板1の別の周辺は、別のコネクター2を通して、別の多辺形基板1と相互に連接し、こうして組立て後、該複数の多辺形基板1は、接続され各種形状を形成する。
【００２０】
同時に、ある１個の多辺形基板1の電源連接部12と電源が相互に接続すると、該電源連接部12及び該コネクター2の導電部21、22を通して、該各多辺形基板1内に設置する発熱装置13は、電力を受け取り発熱し、さらに該導熱層15を通して、熱エネルギーを、該多辺形基板1の上表面上に十分に均一に拡散する。
【００２１】
こうして、本考案に設置する発熱可能な組合せカーペットにより、使用者は、足で踏むのに必要な範囲、及び周辺の移動範囲内だけを、該複数のコネクター2と該複数の多辺形基板1を、任意に必要な形状に組み立て、下に敷き、通電させることで、暖かくする目的を達成することができる。
【００２２】
使用者が、本考案の発熱可能な組合せカーペット上に座る、或いは横になる際には、床面全体に敷く必要はなく、さらに使用後は、直ちに迅速に分解して収納することができ、使用において便利であるばかりか、メンテナンスと電気料金を大きく節減することができる。
【００２３】
この他、本考案に設置する発熱可能な組合せカーペットはまた、各種形状の床上或いはソファー上に敷設することができ(図６参照)、電気毛布或いは電熱クッションとしての機能を実現し、これによっても人体を暖める目的を達成することができる。
【００２４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２６】
1  多辺形基板
11  織物層
12  電源連接部
13  発熱装置
14  電源連接線路
15  導熱層
2  コネクター
21  導電部
22  導電部
【図１】
0003167140.tif 000003
【図２】
0003167140.tif 000004
【図３】
0003167140.tif 000005
【図４】
0003167140.tif 000006
【図５】
0003167140.tif 000007
【図６】
0003167140.tif 000008